(57)【要約】【課題】液冷放熱システムの放熱効果を向上し、コンピュータ本体に内蔵または外付けが可能な内蔵・外付け両用液冷放熱装置の提供。【解決手段】本考案の液冷放熱装置は、その液冷放熱システムが収容ケース、タンク設備、放熱ユニット、管体及び水冷ヘッドから構成され、前記収容ケースが前記タンク設備及び前記放熱ユニットを収納でき、且つ、前記管体が接続されて循環熱伝導を行うことができる挿入式箱体であり、前記液冷放熱システムが、前記タンク設備の液圧ポンプにより相互間に接続された前記管体内の液体を動かし、且つ、前記管体を前記放熱ユニットの液熱交換装置に接続し、前記管体を循環する液体が水冷ヘッドの熱を取り出すものであり、そのうち、前記液冷交換装置の放熱フィン上に複数の貫通孔を穿設し、前記液冷交換装置に効果的に温度を吸収分散させ、高い放熱効果を達成することを特徴とする。【選択図】図4
0003125917.tif 000002
【実用新案登録請求の範囲】
【請求項１】
液冷放熱装置であって、その液冷放熱システムが収容ケース、タンク設備、放熱ユニット、管体及び水冷ヘッドから構成され、前記収容ケースが前記タンク設備及び前記放熱ユニットを収納でき、且つ、前記管体が接続されて循環熱伝導を行うことができる挿入式箱体であり、前記液冷放熱システムが、前記タンク設備の液圧ポンプにより相互間に接続された前記管体内の液体を動かし、且つ、前記管体を前記放熱ユニットの液熱交換装置に接続し、前記管体を循環する液体が水冷ヘッドの熱を取り出すものであり、そのうち、前記液冷交換装置の放熱フィン上に複数の貫通孔を穿設し、前記液冷交換装置に効果的に温度を吸収分散させ、高い放熱効果を達成する構成から成ることを特徴とする、内蔵・外付け両用液冷放熱装置。        
【請求項２】
前記収容ケースが、コンピュータ本体から取り出してコンピュータ筐体外部に独立して設置することができ、互換性を向上できる構成とした、請求項１に記載の内蔵・外付け両用液冷放熱装置。
【請求項３】
前記収容ケース上に複数の空気孔を設け、箱体内の各部材が発する熱エネルギーを流動させ、液冷放熱システムの放熱効果を向上できる構成とした、請求項１に記載の内蔵・外付け両用液冷放熱装置。  
【請求項４】
前記放熱ユニットがさらに液冷交換装置の熱エネルギーを排出させるファン装置を含む構成とした請求項１に記載の内蔵・外付け両用液冷放熱装置。
【請求項５】
前記液冷放熱システム内にさらにセンサ装置を設け、前記液冷放熱システムの温度が異常に高くなった場合、前記センサ装置がメッセージを発し、且つコンピュータの動作を停止させることができる構成とした請求項１に記載の内蔵・外付け両用液冷放熱装置。   
【請求項６】
前記収容ケース辺縁部に換水孔を設け、且つ、前記換水孔を前記タンク設備の水の注入及び排出に用いることができる構成とした請求項１に記載の内蔵・外付け両用液冷放熱装置。
【考案の詳細な説明】
【技術分野】
【０００１】
本考案は内蔵・外付けが可能な液冷放熱装置に関し、放熱ユニットの液冷交換装置内に変化を施し、液冷交換装置の放熱フィン上に複数の貫通孔を設け、これら複数の貫通孔の循環熱伝導により、収容ケース内の放熱ユニットに優れた放熱効果を達成させる、内蔵・外付け両用液冷放熱装置に関する。
【背景技術】
【０００２】
図１及び図２に示すように、一般的な従来の放熱システムＡは、水箱Ａ１、放熱器Ａ２、ファンＡ３、モーターＡ４及び放熱片Ａ５を相互に水パイプＡ６を介して接続して成り、この放熱システムＡをコンピュータ本体Ａ７に設置したい場合、放熱システムＡが空間を占用してしまい、また設置時に乱雑になる問題がある。
【０００３】
また、一般的な従来の放熱器Ａ２の放熱は、相互に接続された放熱フィンＡ８で熱を放出するが、この放熱フィンＡ８の構造は平面体を呈しており、放熱フィンＡ８の平面体を介して熱を放熱するときの放熱効果が優れず、放熱器Ａ２内の熱を効果的に排出することができない。
【０００４】
このため、いかに上述の問題を排除するかが本考案の解決する技術的問題点である。
【考案の開示】
【考案が解決しようとする課題】
【０００５】
本考案の目的は、液冷放熱システムの放熱効果を向上し、コンピュータ本体に内蔵または外付けが可能な内蔵・外付け両用液冷放熱装置を提供することにある。
【課題を解決するための手段】
【０００６】
本考案の液冷放熱装置は、その液冷放熱システムが収容ケース、タンク設備、放熱ユニット、管体及び水冷ヘッドから構成され、前記収容ケースが前記タンク設備及び前記放熱ユニットを収納でき、且つ、前記管体が接続されて循環熱伝導を行うことができる挿入式箱体であり、前記液冷放熱システムが、前記タンク設備の液圧ポンプにより相互間に接続された前記管体内の液体を動かし、且つ、前記管体を前記放熱ユニットの液熱交換装置に接続し、前記管体を循環する液体が水冷ヘッドの熱を取り出すものであり、そのうち、前記液冷交換装置の放熱フィン上に複数の貫通孔を穿設し、前記液冷交換装置に効果的に温度を吸収分散させ、高い放熱効果を達成することを特徴とする。        
【考案の効果】
【０００７】
本考案の進歩性と実用性をよりはっきりと示すため、以下、従来品と比較して分析する。
《従来品の欠点》
一、平面体を呈する放熱フィンの放熱効果が優れない。
二、設置時に乱雑になりやすく整理に不便であり、空間が占用される。
三、使用者のニーズにより位置を変化させることができない。
《本考案の利点》
一、放熱フィン上に穿設された貫通孔が液冷放熱システムの放熱効果を向上する。
二、液冷放熱システムを手軽にコンピュータ本体から取り出すことができる。
三、液冷放熱システムの故障時に手軽に検査及び修理ができる。
四、設置時に空間を節約でき、外観が整っており美観が得られる。
五、進歩性と実用性を備えている。
六、産業的競争力を向上できる。        
【考案を実施するための最良の形態】
【０００８】
以下、本考案について図面、符合及び実施例に基づき詳細に説明する。本考案の内蔵・外付け可能な液冷放熱装置は、図３から図５に示すように、液冷放熱システムＢが収容ケースＣ、タンク設備Ｄ、放熱ユニットＥ、管体Ｆ及び水冷ヘッドＧから構成される。
【０００９】
前記収容ケースＣ内に前記管体Ｆで接続された前記タンク設備Ｄ及び前記放熱ユニットＥが設置され、タンク設備Ｄ内の液体が液圧ポンプＤ１により管体Ｆを介し水冷ヘッドＧに送られて熱伝導が行われ、前記水冷ヘッドＧが管体Ｆを介して液体を放熱ユニットＥへと送り、前記放熱ユニットＥは液冷交換装置Ｅ１を含み、前記管体Ｆの液体に前記液冷交換装置Ｅ１を介して放熱を行わせ、放熱後の液体が再度管体Ｆを介してタンク設備Ｄへと送られ、液冷放熱システムＢが形成される。
【００１０】
前記放熱ユニットＥの液冷交換装置Ｅ１内には放熱フィンＥ３が設置され、前記放熱フィンＥ３上に複数の貫通孔Ｅ４が設けられ、前記貫通孔Ｅ４が放熱ユニットＥ内の放熱を行う液体により効率的に熱を放出させ、且つ、前記放熱ユニットＥは別途ファン装置Ｅ２を含み、前記ファン装置Ｅ２が液冷交換装置Ｅ１の放熱時に発生する熱エネルギーを外部に向かって排出させることができ、そのうち、前記収容ケースＣ辺縁部に換水孔Ｃ２を設けて前記タンク設備Ｄの水の注入と排水に用いると、タンク設備Ｄ内の水の交換動作に便利であり、また、収容ケースＣのファン設備Ｅ２に相対する位置に複数の空気孔Ｃ１を穿設し、液冷放熱システムＢの放熱ユニットＥが放熱動作を行うとき効率をより向上することができ、優れた放熱効果を達成することができる。
【００１１】
本考案の内蔵・外付け可能な液冷放熱装置の実施方法は、図６から図８に示すように、液冷放熱システムＢの収容ケースＣはコンピュータ本体ＨのスロットＨ１に出し入れ可能な箱体を呈し、前記収容ケースＣをコンピュータ本体Ｈに設置するとき、液冷放熱システムＢとの間を管体Ｆで接続し、且つ、管体Ｆにより接続された水冷ヘッドＧをコンピュータ本体ＨのマザーボードのＣＰＵ（Ｃｅｎｔｒａｌ  Ｐｒｏｃｅｓｓｉｎｇ  Ｕｎｉｔ  中央処理装置）上に接続し、前記水冷ヘッドＧ上の管体Ｆの循環液体を介してＣＰＵの熱エネルギーを伝導し、ＣＰＵの熱エネルギーが取り除かれて効果的に放熱効果が達成される。また、前記収容ケースＣによりコンピュータ本体Ｈから便利に取り出すことができ、液冷放熱システムＢを使用するときは手軽に設置でき、且つ空間を節約することができる。そのうち、前記コンピュータ本体Ｈ内の熱気は、熱対流効果で熱気Iが上方向へ流動する原理を利用し、熱気Ｉを円滑に放熱孔Ｈ２から排出することができ、冷めた空気Ｊがコンピュータ本体Ｈの下方の空気進入孔Ｈ３から進入するため、コンピュータ本体Ｈ内の放熱効果を向上することができる。
【００１２】
さらに、前記液冷放熱システムＢの収容ケースＣはコンピュータ本体Ｈの外部に設置することもでき、故障時には手軽に前記液冷放熱システムＢを検査することができ、且つ、設置時に全体の美観が向上される。
【００１３】
図９に示すように、収容ケースＣ内にはセンサ装置Ｋを設置することができ、液冷放熱システムＢが循環放熱を行うとき、液冷放熱システムＢが故障してＣＰＵが高温状態になった場合、前記センサ装置Ｋによりその高温を検知してメッセージを発し、コンピュータの動作を停止させ、液冷放熱システムＢの故障時におけるＣＰＵの過熱による破損を防ぐことができる。
【００１４】
以上で述べた説明は本考案の最良の実施例に基づくものであり、本考案の特許範囲を制限するものではなく、本考案の明細書及び図面の内容を運用した同等効果を得る構造を直接または間接的にその他関連技術領域に応用したものはすべて、本考案の要旨の範囲内に含まれるものとみなす。
【００１５】
上述のように、本考案は先行技術を打破する構造の下、確実にその目的とする効果を達成することができ、且つ、関連技術を熟知した人物が容易に思い付くものではなく、さらに、本考案はその出願前に公開されたことがなく、その進歩性と実用性は実用新案登録の出願要件を満たしているため、法に基づきここに実用新案登録を出願するものである。
【図面の簡単な説明】
【００１６】
【図１】従来品の立体図である。
【図２】従来品の放熱器の立体図である。
【図３】本考案の立体図である。
【図４】本考案の立体分解図である。
【図５】本考案の放熱ユニットの立体図である。
【図６】本考案の実施例図１である。
【図７】本考案の実施例図２である。
【図８】本考案の実施例図３である。
【図９】本考案の実施例図４である。
【符号の説明】
【００１７】
Ａ        放熱システム
Ａ１      水箱
Ａ２      放熱器
Ａ３      ファン
Ａ４      モーター
Ａ５      放熱片
Ａ６      水パイプ
Ａ７、Ｈ    コンピュータ本体
Ａ８、Ｅ３  放熱フィン
Ｂ        液冷放熱システム
Ｃ        収容ケース
Ｃ１      空気孔
Ｃ２      換水孔
Ｄ        タンク設備
Ｄ１      液圧ポンプ
Ｅ        放熱ユニット
Ｅ１      液冷交換装置
Ｅ２      ファン設備
Ｅ４      貫通孔
Ｆ        管体
Ｇ        水冷ヘッド
Ｈ１      スロット
Ｈ２      放熱孔
Ｈ３      空気進入孔
Ｉ        熱気
Ｊ        冷めた空気
Ｋ      センサ装置
【図１】
0003125917.tif 000003
【図２】
0003125917.tif 000004
【図３】
0003125917.tif 000005
【図４】
0003125917.tif 000006
【図５】
0003125917.tif 000007
【図６】
0003125917.tif 000008
【図７】
0003125917.tif 000009
【図８】
0003125917.tif 000010
【図９】
0003125917.tif 000011